(57)【要約】【課題】放射線発生装置の照射条件を設定する際の利用者の操作負担を効率よく軽減できる放射線撮影支援装置及び放射線撮影支援方法を提供する。【解決手段】放射線撮影支援装置は、検査オーダーを取得する検査オーダー取得部と、検査オーダーごとに対応する放射線の照射条件を放射線発生装置に送信する照射条件送信部と、同一被検体に対して複数の前記検査オーダーが取得され、特定の第１検査オーダーに対応する照射条件が変更された場合に、第１検査オーダーの後に実行される第２検査オーダーに対応する照射条件の送信を制限する送信制御部と、を備える。【選択図】図３
2019048005.tif 000002
【特許請求の範囲】
【請求項１】
放射線発生装置及び放射線撮影装置を含む放射線撮影システムによる撮影を支援する放射線撮影支援装置であって、
検査オーダーを取得する検査オーダー取得部と、
前記検査オーダーごとに対応する放射線の照射条件を前記放射線発生装置に送信する照射条件送信部と、
同一被検体に対して複数の前記検査オーダーが取得され、特定の第１検査オーダーに対応する前記照射条件が変更された場合に、前記第１検査オーダーの後に実行される第２検査オーダーに対応する照射条件の送信を制限する送信制御部と、を備えることを特徴とする放射線撮影支援装置。
【請求項２】
前記照射条件は、複数のパラメーターを含み、
前記送信制御部は、前記パラメーターごとに送信を制限することを特徴とする請求項１に記載の放射線撮影支援装置。
【請求項３】
前記送信制御部は、予め行われた送信設定に従って、前記照射条件の送信を制限することを特徴とする請求項１又は２に記載の放射線撮影支援装置。
【請求項４】
前記送信制御部は、前記第２検査オーダーごとに、前記照射条件の送信を制限するか否かを設定可能であることを特徴とする請求項１又は２に記載の放射線撮影支援装置。
【請求項５】
前記送信制御部は、前記第２検査オーダーに対応する前記照射条件の送信が制限されていることを提示することを特徴とする請求項１から４のいずれか一項に記載の放射線撮影支援装置。
【請求項６】
前記第２検査オーダーは、写損により生じる再撮影のための検査オーダーを含むことを特徴とする請求項１から５のいずれか一項に記載の放射線撮影支援装置。
【請求項７】
前記変更された照射条件は、当該被検体の検査履歴として登録されることを特徴とする請求項１から６のいずれか一項に記載の放射線撮影支援装置。
【請求項８】
放射線発生装置及び放射線撮影装置を含む放射線撮影システムによる撮影を支援する放射線撮影支援方法であって、
検査オーダーを取得する工程と、
前記検査オーダーごとに対応する放射線の照射条件を前記放射線発生装置に送信する工程と、
同一被検体に対して複数の前記検査オーダーが取得され、特定の第１検査オーダーに対応する前記照射条件が変更された場合に、前記第１検査オーダーの後に実行される第２検査オーダーに対応する照射条件の送信を制限する工程と、を備えることを特徴とする放射線撮影支援方法。
【発明の詳細な説明】
【技術分野】
【０００１】
本発明は、放射線撮影システムによる撮影を支援する放射線撮影支援装置及び放射線撮影支援方法に関する。
【背景技術】
【０００２】
従来、医療分野では、Ｘ線撮影システムを利用した画像診断が行われている。近年では、入射Ｘ線に基づいてＸ線画像を生成するフラットパネルディテクター（ＦＰＤ：Flat Panel Detector）の開発に伴い、Ｘ線動態撮影による診断手法も確立されつつある。Ｘ線動態撮影では、呼吸器や循環器の形態情報だけでなく、Ｘ線画像の画素値（濃度）の変化から動態情報も得ることができ、例えば、肺換気機能や肺血流等の胸部動態診断を行うことができる。
【０００３】
一般に、Ｘ線撮影システムは、Ｘ線を発生し被検体に向けて照射するＸ線発生装置と、被検体を透過したＸ線の入線量に基づいてＸ線画像を撮影するＸ線撮影装置とを備える。
Ｘ線発生装置は、Ｘ線を被検体に向けて照射するＸ線管装置、Ｘ線管装置に電圧を印加する高電圧発生装置、Ｘ線管装置及び高電圧発生装置の動作を制御するＸ線発生用制御装置、照射条件等の入力及び確認を行うためのＸ線発生用コンソール、並びにＸ線の照射を指示するための照射スイッチ等を備える。
Ｘ線撮影装置は、被検体を透過したＸ線を検出し画像データに変換して出力するＦＰＤ、ＦＰＤの動作を制御するとともに得られたＸ線画像データに対して所定の処理（例えば、画像処理及び表示制御処理）を行う撮影用制御装置、並びに撮影条件等の入力及び確認を行うための撮影用コンソールを備える。撮影されたＸ線画像は、撮影用コンソールに表示される。
【０００４】
Ｘ線撮影システムでは、Ｘ線撮影を行う際、予め検査オーダーに応じて照射条件が設定される。照射条件は、通常、Ｘ線発生用コンソールを通じて設定される。最近では、Ｘ線発生装置とＸ線撮影装置を連携させることにより、Ｘ線撮影装置で検査オーダーの実行が指示された場合に、検査オーダーの撮影内容に応じて予め設定されている照射条件がＸ線発生装置で自動的に設定されるようになっている（例えば、特許文献１、２）。
【０００５】
ところで、検査オーダーの撮影内容に応じて予め設定される照射条件は、標準体型の被検体の検査を行う場合に適した照射条件である。そのため、Ｘ線発生装置において撮影条件が自動的に設定されても、被検体の体型が太りすぎ、又は痩せすぎている場合、利用者（放射線技師）は、被検体の体型等に応じて照射条件を微調整する必要がある。
【０００６】
従来の一般的なＸ線撮影システムでは、同一の被検体に対して複数の検査オーダーがあり、撮影条件の微調整が必要であることがわかっている場合であっても、検査オーダーの実行が指示されることに伴い微調整した撮影条件はリセットされ、改めて撮影条件が設定されるようになっている。これに対して、特許文献２では、同一の被検体に対して複数の検査オーダーがあり、連続する検査オーダーにおける撮影内容（例えば、撮影部位及び撮影方向）が同一である場合は、先のＸ線撮影で微調整した撮影条件を優先し、後のＸ線撮影の検査オーダーの実行が指示されても撮影条件が設定されないように制限している。これにより、利用者の操作負担が軽減される。
【先行技術文献】
【特許文献】
【０００７】
【特許文献１】特開２００２−２０００６２号公報
【特許文献２】特開２０１４−０００１３１号公報
【発明の概要】
【発明が解決しようとする課題】
【０００８】
しかしながら、特許文献２に開示の技術は、連続する検査オーダーにおいて撮影内容が同一である場合は有効であるが、検査オーダーを実行する順番に制限がある。例えば、同一の被検体に対して撮影内容が同一である複数の検査オーダーがある場合であっても、これらの検査オーダーが連続して実行されなければ、微調整した撮影条件はリセットされてしまう。
【０００９】
通常、同一の被検体に対して複数の検査オーダーがある場合に、撮影部位が同じであってもＸ線照射方向（正面／背面／側面）が異なるというように、撮影内容が同一又は類似することは稀である。したがって、特許文献２に開示の技術によって利用者の操作負担が飛躍的に軽減されるわけではない。一方で、検査オーダーごとに照射条件を設定するか否かを判定しており、コンピューターの処理負担は確実に増大する。このように、特許文献２に開示の技術では、利用者の操作負担を効率的に軽減できているとはいえない。
【００１０】
本発明の目的は、放射線発生装置の照射条件を設定する際の利用者の操作負担を効率よく軽減できる放射線撮影支援装置及び放射線撮影支援方法を提供することである。
【課題を解決するための手段】
【００１１】
本発明の一態様に係る放射線撮影支援装置は、
放射線発生装置及び放射線撮影装置を含む放射線撮影システムによる撮影を支援する放射線撮影支援装置であって、
検査オーダーを取得する検査オーダー取得部と、
前記検査オーダーごとに対応する放射線の照射条件を前記放射線発生装置に送信する照射条件送信部と、
同一被検体に対して複数の前記検査オーダーが取得され、特定の第１検査オーダーに対応する前記照射条件が変更された場合に、前記第１検査オーダーの後に実行される第２検査オーダーに対応する照射条件の送信を制限する送信制御部と、を備える。
【００１２】
本発明の一態様に係る放射線撮影支援方法は、
放射線発生装置及び放射線撮影装置を含む放射線撮影システムによる撮影を支援する放射線撮影支援方法であって、
検査オーダーを取得する工程と、
前記検査オーダーごとに対応する放射線の照射条件を前記放射線発生装置に送信する工程と、
同一被検体に対して複数の前記検査オーダーが取得され、特定の第１検査オーダーに対応する前記照射条件が変更された場合に、前記第１検査オーダーの後に実行される第２検査オーダーに対応する照射条件の送信を制限する工程と、を備えることを特徴とする。
【発明の効果】
【００１３】
本発明によれば、放射線発生装置の照射条件を設定する際の利用者の操作負担を効率よく軽減することができる。
【図面の簡単な説明】
【００１４】
【図１】本発明の一実施の形態に係る放射線撮影支援装置を適用したＸ線撮影システムを示す図である。
【図２】撮影用制御装置の構成を示す図である。
【図３】撮影用制御装置における照射条件設定処理の一例を示すフローチャートである。
【図４】検査オーダーの実行を指示した際の表示画面の一例を示す図である。
【図５】検査オーダーの実行を指示した際の表示画面の一例を示す図である。
【発明を実施するための形態】
【００１５】
以下、本発明の実施の形態を、図面を参照して詳細に説明する。
【００１６】
図１は、本発明の一実施の形態に係る放射線撮影支援装置を適用したＸ線撮影システム１を示す図である。Ｘ線撮影システム１では、撮影用制御装置１１に、本発明に係る放射線撮影支援装置が適用されている。Ｘ線撮影システム１は、Ｘ線発生装置２０とＸ線撮影装置１０との間で互いに信号等をやりとりして、両者が連携しながらＸ線撮影が行われる一体型の撮影システムである。
【００１７】
図１に示すように、Ｘ線撮影システム１は、Ｘ線撮影装置１０及びＸ線発生装置２０を備える。Ｘ線撮影システム１は、通信ネットワークを介して、画像保存通信システム(ＰＡＣＳ：Picture Archiving and Communication Systems)３１、病院情報システム(ＨＩＳ：Hospital Information Systems)３２、及び放射線科情報システム(ＲＩＳ：Radiology Information Systems)３３に接続される。Ｘ線撮影システム１、ＰＡＣＳ３１、ＨＩＳ３２、及びＲＩＳ３３を含む通信ネットワークにおいては、例えば、ＤＩＣＯＭ（Digital Image and Communications in Medicine）規格に従って情報の送受信が行われる。
【００１８】
Ｘ線撮影装置１０は、撮影用制御装置１１、ＦＰＤ１２、撮影台１３、及び中継器１４等を備える。Ｘ線撮影装置１０は、例えば、胸部、腹部等の撮影対象部位を透過したＸ線を可視化して、体内の状態を示すＸ線画像を撮影する。
【００１９】
ＦＰＤ１２は、Ｘ線管装置２５から照射され被検体を透過したＸ線を検出し、Ｘ線画像データを出力する撮像装置である。ＦＰＤ１２は、例えば、撮影台１３に装着され、有線通信によって撮影台１３及び中継器１４を介して撮影用制御装置１１と通信可能に接続される。ＦＰＤ１２は、無線通信によって撮影用制御装置１１と接続されてもよい。ＦＰＤ１２が無線通信機能を有する場合、専用の撮影台１３に装着するのではなく、ＦＰＤ１２を、被検体が仰臥するベッド上に置いたり、被検体自身に持たせたりして使用することもできる。
【００２０】
ＦＰＤ１２は、例えば、入射したＸ線を光に変換するシンチレーター、画素に対応してマトリックス状に配置されたＰＤ（Photo Diode）、及び各ＰＤに対応して配置されたＴＦＴ（Thin Film Transistor）スイッチを有する（いずれも図示略）。入射したＸ線はシンチレーターで光に変換され、ＰＤに入射して画素ごとに電荷として蓄積される。ＰＤに蓄積された電荷は、ＴＦＴスイッチ及び信号線を介して流れ出し、増幅、Ａ／Ｄ変換されてＸ線画像データとして撮影用制御装置１１に出力される。なお、ＦＰＤ１２は、上述した間接変換型であってもよいし、Ｘ線を直接電気信号に変換する直接変換型であってもよい。
【００２１】
撮影台１３は、ＦＰＤ１２のＸ線入射面がＸ線管装置２５と対向する姿勢となるように、ＦＰＤ１２を着脱自在に保持する。図１では、撮影台１３として、被検体を立位姿勢で撮影する立位用撮影台を例示している。撮影台１３は、被検体を臥位姿勢で撮影する臥位用撮影台でもよい。撮影台１３は、例えば、有線通信によって中継器１４を介して撮影用制御装置１１と通信可能に接続される。
【００２２】
撮影用制御装置１１は、Ｘ線発生用制御装置２１と連携して放射線撮影システム１を制御する。撮影用制御装置１１は、例えば、ＦＰＤ１２に対して検出条件を送信し、設定する。検出条件は、撮影する画像サイズ、フレームレート（動態撮影の場合）、及びＦＰＤ１２で実行される信号処理に関する情報（例えば、増幅器のゲイン等）を含む。撮影用制御装置１１は、ＦＰＤ１２の各動作を制御するとともに、ＦＰＤ１２からＸ線画像データを取得し、所定の画像処理を施して表示部１１３（図２参照）に表示させる。撮影用制御装置１１の詳細については後述する。
【００２３】
なお、撮影用制御装置１１は、Ｘ線発生装置２０の一部を構成してもよい。例えば、撮影用制御装置１１は、Ｘ線発生装置２０のＸ線発生用コンソール２２としての機能を有することができる（いわゆる一体型Ｘ線撮影システム）。
【００２４】
Ｘ線発生装置２０は、Ｘ線発生用制御装置２１、Ｘ線発生用コンソール２２、照射スイッチ２３、高電圧発生装置２４、及びＸ線管装置２５を備える。
【００２５】
Ｘ線管装置２５は、被検体を挟んでＦＰＤ１２と対向する位置に配置される。Ｘ線管装置２５は、高電圧発生装置２４によって高電圧が印加されることにより、Ｘ線を発生し、被検体に向けて照射する。Ｘ線管装置２５は、Ｘ線の照射野を調整するＸ線可動絞りを含む。
【００２６】
Ｘ線発生用コンソール２２及び照射スイッチ２３は、Ｘ線発生用制御装置２１に信号ケーブルを介して接続される。Ｘ線発生用コンソール２２は、照射条件の入力等を行うための操作卓である。照射スイッチ２３は、Ｘ線の照射を指示するためのスイッチであり、例えば、二段階の自動復帰型押しボタンスイッチで構成される。照射スイッチ２３において、一段階目の押下操作が行われると、Ｘ線管装置２５のウォームアップを開始させるためのウォームアップ開始信号がＸ線発生用制御装置２１に送信され、二段階目の押下操作が行われると、Ｘ線管装置２５にＸ線の照射を開始させるための照射開始信号がＸ線発生用制御装置２１に送信される。
【００２７】
Ｘ線発生用制御装置２１は、Ｘ線発生用コンソール２２からの照射条件及び照射スイッチ２３からの制御信号（ウォームアップ開始信号及び照射開始信号）に基づいて、高電圧発生装置２４及びＸ線管装置２５の動作を制御する。照射条件は、例えば、管電圧、管電流、曝射時間、曝射量、セッティングモード、焦点サイズ、フォトタイマー、コリメーターサイズ、フィルター種別、撮影姿勢（立位／臥位）等の複数のパラメーターを含む。
【００２８】
照射条件は、Ｘ線発生用コンソール２２を通じて設定することもできるし、撮影用制御装置１１を利用して設定することもできる。Ｘ線撮影装置１０とＸ線発生装置２０が連携している場合、撮影用制御装置１１において検査オーダーの実行が指示されると、検査オーダーに対応して予め設定されている照射条件がＸ線発生用制御装置２１に自動的に送信され、設定される。この場合、利用者は、Ｘ線発生用コンソール２２を通じて照射条件を微調整することができる。
【００２９】
図２は、撮影用制御装置１１の構成を示す図である。図２に示すように、撮影用制御装置１１は、処理部１１１、記憶部１１２、表示部１１３、操作部１１４、及び通信部１１５等を備える。
【００３０】
処理部１１１は、演算／制御装置としてのＣＰＵ（Central Processing Unit）、主記憶装置としてのＲＯＭ（Read Only Memory）及びＲＡＭ（Random Access Memory）等を備える（いずれも図示略）。ＲＯＭには、基本プログラムや基本的な設定データが記憶される。ＣＰＵは、ＲＯＭ又は記憶部１１２から処理内容に応じたプログラムを読み出してＲＡＭに展開し、展開したプログラムを実行することにより、ＦＰＤ１２等の動作を集中制御する。本実施の形態では、処理部１１１は、Ｘ線撮影における照射条件設定処理を実行し、Ｘ線発生装置２０の照射条件を設定する際の利用者の操作負担を効率よく軽減する。
【００３１】
記憶部１１２は、例えばＨＤＤ（Hard Disk Drive）、又はＳＳＤ（Solid State Drive）等の補助記憶装置である。記憶部１１２は、ＣＤ（Compact Disc）、ＤＶＤ（Digital Versatile Disc）等の光ディスク、ＭＯ（（Magneto-Optical disk）等の光磁気ディスクを駆動して情報を読み書きするディスクドライブであってもよい。また例えば、記憶部１１２は、ＵＳＢメモリ、ＳＤカード等のメモリカードであってもよい。
【００３２】
記憶部１１２は、処理部１１１で実行される各種プログラムや、プログラムの実行に必要なパラメーター、及び処理結果等のデータを記憶する。記憶部１１２は、例えば、撮影条件データ１１２Ａ及びＸ線画像データ１１２Ｂを記憶する。撮影条件データ１１２Ａは、Ｘ線発生装置２０における照射条件のデータ及びＦＰＤ１２における検出条件のデータを含む。
【００３３】
撮影条件は、例えば、検査オーダーに含まれる撮影内容（撮影部位、撮影方向、被検体の体型など）に関連付けられている。検査オーダーが選択され、その検査オーダーに撮影条件が設定されていない場合（例えば、初回検査時）に、撮影内容に関連付けられた撮影条件が読み出される。なお、初回検査とは、同一の被検体に対して同一の撮影内容で行われる最初の検査である。
【００３４】
表示部１１３は、例えば、液晶ディスプレイ、有機ＥＬディスプレイなどのフラットパネルディスプレイで構成される。表示部１１３は、処理部１１１からの表示制御信号に基づいて、検査オーダーの内容や、撮影されたＸ線画像を表示する。検査オーダーは、被検体である患者の患者情報（例えば、患者ＩＤ、患者名、生年月日、性別）、撮影時の姿勢情報（例えば、姿勢（立位／臥位）、照射方向（背面／前面／側面）、撮影部位情報（例えば、胸部）、検査項目（肺換気機能、肺血流など）、被検体の検査履歴（前回検査時の撮影条件など）を含む。
【００３５】
操作部１１４は、カーソルキー、数字入力キー、及び各種機能キー等を有するキーボードと、マウス等のポインティングデバイスで構成される。操作部１１４は、キー操作やマウス操作により入力された操作信号を受け付け、処理部１１１に出力する。利用者は、操作部１１４を通じて、例えば、撮影条件を入力することができる。
【００３６】
なお、表示部１１３及び操作部１１４は、例えば、タッチパネル付きのフラットパネルディスプレイのように一体的に構成されてもよい。
【００３７】
通信部１１５は、例えばＮＩＣ（Network Interface Card）、ＭＯＤＥＭ（MOdulator-DEModulator）、ＵＳＢ（Universal Serial Bus）等の通信インターフェースである。処理部１１１は、通信部１１５を介して、有線／無線ＬＡＮ等のネットワークに接続された装置との間で、ＤＩＣＯＭ規格に従って各種情報の送受信を行う。通信部１１５には、ＮＦＣ（Near Field Communication）やBluetooth（登録商標）等の近距離無線通信用の通信インターフェースを適用することもできる。
【００３８】
処理部１１１は、撮影プログラムを実行することにより、表示制御部１１１Ａ、撮影条件設定部１１１Ｂ、Ｘ線画像取得部１１１Ｃ、検査オーダー取得部１１１Ｄとして機能する。撮影条件設定部１１１Ｂは、照射条件送信部１１１Ｅ及び送信制御部１１１Ｆを含む。これらの機能については、図３のフローチャートに従って詳述する。撮影プログラムは、例えば、処理部１１１のＲＯＭに記憶される。
【００３９】
Ｘ線撮影システム１によりＸ線撮影を行う場合、撮影用制御装置１１において検査オーダーの登録が行われる（検査オーダー取得部１１１Ｄ）。登録された検査オーダーは、撮影用制御装置１１の表示部１１３に表示される（図４参照）。検査オーダーは、ＨＩＳ３２やＲＩＳ３３等の外部システムから入力されてもよいし、利用者により操作部１１４を通じて手動入力されてもよい。ここでは、ＨＩＳ３２やＲＩＳ３３等の外部システムから検査オーダーが入力されるものとする。
【００４０】
登録された検査オーダーの実行が指示されると、検査オーダーに含まれる撮影条件がＸ線発生用制御装置２１及びＦＰＤ１２に送信され、設定される（撮影条件設定部１１１Ｂ）。なお、初回検査時は、検査オーダーに含まれる撮影内容に対応する撮影条件が記憶部１１２から読み出され、設定される。利用者は、照射用コンソール２２を通じて、照射条件の設定を変更して微調整することができる。照射条件の設定が変更された場合は、Ｘ線発生用制御装置２１から撮影用制御装置１１に、設定変更を示す信号が送信される。
【００４１】
利用者によって照射スイッチ２３の一段階目の押下操作が行われると、Ｘ線管装置２５のウォームアップ（フィラメントの加熱等）が開始される。これに伴い、Ｘ線発生用制御装置２１から撮影用制御装置１１に、ウォームアップが開始されたことを示すレディ信号（照射準備開始信号）が送信される。撮影用制御装置１１は、レディ信号を受信すると、ＦＰＤ１２に撮影準備（初期化）を指示する。
【００４２】
Ｘ線管装置２５のウォームアップが完了すると、Ｘ線発生用制御装置２１から撮影用制御装置１１に、ウォームアップが完了したことを示すスタート信号（照射準備完了信号）が送信される。また、ＦＰＤ１２から撮影用制御装置１１に、撮影準備が完了したことを示すＯＫ信号（撮影準備完了信号）が送信される。
【００４３】
利用者によって照射スイッチ２３の二段階目の押下操作が行われると、Ｘ線発生用制御装置２１は、Ｘ線の照射を指示するＸ線照射信号を高電圧発生装置２４及び撮影用制御装置１１に送信する。高電圧発生装置２４によってＸ線管装置２５に高電圧が印加され、Ｘ線の照射が開始される。なお、照射スイッチ２３の二段階目の押下操作は、Ｘ線発生用制御装置２１からのスタート信号及びＦＰＤ１２からのＯＫ信号を受け付ける前に行われてもよい。この場合、スタート信号及びＯＫ信号を受信することに伴い、Ｘ線発生用制御装置２１からＸ線照射信号が送信される。
【００４４】
単純Ｘ線撮影のように照射時間が設定されている場合は、所定の照射時間が経過すると、Ｘ線の照射が終了する。動態撮影の場合は、照射スイッチ２３の二段階目の押下操作が行われている期間、Ｘ線の照射が連続して行われ、照射スイッチ２３の押下操作が解放されると、Ｘ線の照射が終了する。Ｘ線照射の終了に伴いＸ線照射信号がオフとなり、ＯＫ信号、スタート信号及びレディ信号も順次オフとなる。
【００４５】
撮影されたＸ線画像は、ＦＰＤ１２から撮影用制御装置１１に送信され、記憶部１１２に格納される。撮影用制御装置１１において、Ｘ線画像データに対してオフセット補正やゲイン補正等の各種画像処理が施され、表示部１１３に表示される（表示制御部１１１Ａ）。
【００４６】
上述したように、初回検査時は、検査オーダーに含まれる撮影内容に対応する照射条件が記憶部１１２から読み出され、検査オーダーの実行指示とともにＸ線発生用制御装置２１で設定される。記憶部１１２に記憶されている照射条件は、標準体型の被検体の検査を行う場合に適したものとなっている。
【００４７】
同一の被検体に対して複数の検査オーダーが登録されている場合は、検査オーダーの実行が指示されるたびに、その検査オーダーに含まれる撮影内容に対応する撮影条件（照射条件）が、検査オーダーの実行指示とともにＸ線発生用制御装置２１で設定される。被検体の体型が太りすぎ、又は痩せすぎている場合、利用者は、検査オーダーの実行が指示されるたびに、被検体の体型等に応じて照射条件を微調整することになる。つまり、従来のように、検査オーダーの実行指示とともに照射条件が設定されると、無駄に演算処理や通信処理が行われることになる。
【００４８】
本実施の形態では、図３に示すフローチャートに従ってＸ線発生装置２０における照射条件の設定を行うことにより、利用者の操作負担を効率よく軽減することができる。
【００４９】
図３は、撮影用制御装置１１における照射条件設定処理の一例を示すフローチャートである。この処理は、Ｘ線撮影システム１によるＸ線撮影において、検査オーダーの実行が指示されることに伴い、ＣＰＵが記憶部１１２に格納されている照射条件設定プログラムを実行することにより実現される。
【００５０】
ステップＳ１０１において、処理部１１１は、実行指示された検査オーダーが、同一被検体に対して連続して実行される複数の検査オーダーのうち最初の検査オーダーであるか否かを判定する（送信制御部１１１Ｆとしての処理）。最初の検査オーダーである場合（ステップＳ１０１で“ＹＥＳ”）、ステップＳ１０２の処理に移行する。最初の検査オーダーでない場合、すなわち２番目以降の検査オーダーである場合（ステップＳ１０１で“ＮＯ”）、ステップＳ１０５の処理に移行する。なお、検査オーダーの登録が一つであっても、写損により再撮影を行う場合、再撮影のための検査オーダーは、２番目以降の検査オーダーとして扱われる。
【００５１】
ステップＳ１０２において、処理部１１１は、検査オーダーの撮影内容に対応する照射条件をＸ線発生装置２０に送信する（照射条件送信部１１１Ｅとしての処理）。つまり、最初の検査オーダーの場合は、無条件に、撮影用制御装置１１からＸ線発生装置２０に照射条件が送信され、設定される。なお、初回検査時には、記憶部１１２から読み出された照射条件が送信され、２回目以降の検査時には、検査オーダーに含まれる患者情報に検査履歴として登録されている前回検査時の照射条件が送信される。
【００５２】
ステップＳ１０３において、処理部１１１は、設定された照射条件の変更が行われたか否かを判定する（送信制御部１１１Ｆとしての処理）。例えば、Ｘ線発生装置２０において、Ｘ線発生用コンソール２２を通じて変更操作が行われた場合に、変更操作を示す信号が撮影用制御装置１１に送信されることで、照射条件が変更されたか否かを判定することができる。照射条件が変更された場合（ステップＳ１０３で“ＹＥＳ”）、ステップＳ１０４の処理に移行する。照射条件が変更されない場合（ステップＳ１０３で“ＮＯ”）、照射条件設定処理は終了となる。
【００５３】
以下において、照射条件の変更が行われた検査オーダーを「第１検査オーダー」、第１検査オーダーの後に実行される検査オーダーを「第２検査オーダー」と称する。写損により生じる再撮影のための検査オーダーが第２検査オーダーとなることもある。
【００５４】
ステップＳ１０４において、処理部１１１は、被検体の患者情報に、変更された照射条件を検査履歴として登録する（送信制御部１１１Ｆとしての処理）。同一の撮影内容による次回の検査では、変更履歴として照射条件が登録されていることになる。これにより、次回の検査では、微調整した照射条件がＸ線発生装置２０で設定されるので、利用者の操作負担を軽減することができる。
【００５５】
ステップＳ１０５において、処理部１１１は、実行済みの検査オーダーで照射条件の変更が行われたか否か、すなわち、実行指示された検査オーダーが第２検査オーダーであるか否かを判定する（送信制御部１１１Ｆとしての処理）。例えば、変更操作を示す信号を受信した場合に、条件変更を示すフラグを設定しておくことで、実行済みの検査オーダーで照射条件が変更されたか否かを判定することができる。当該検査オーダーが第２検査オーダーである場合（ステップＳ１０５で“ＹＥＳ”）、ステップＳ１０６の処理に移行する。当該検査オーダーが第２検査オーダーでない場合（ステップＳ１０５で“ＮＯ”）、ステップＳ１０２の処理に移行する。
【００５６】
ステップＳ１０６において、処理部１１１は、当該検査オーダー（第２検査オーダー）に対応する照射条件を送信するか否かを判定する（送信制御部１１１Ｆとしての処理）。照射条件を送信する場合（ステップＳ１０６で“ＹＥＳ”）、ステップＳ１０２の処理に移行する。照射条件を送信しない場合（ステップＳ１０６で“ＮＯ”）、ステップＳ１０４の処理に移行する。
【００５７】
ここで、第２検査オーダーの照射条件を送信するか否かは、予め行われた送信設定に従って判定してもよいし、第２検査オーダーの実行指示ごとに、操作部１１４を通じたユーザー操作に従って選択可能としてもよい。
【００５８】
照射条件を送信しない場合は、Ｘ線発生用コンソール２２を通じて、利用者によって照射条件が設定される（照射条件が変更される）ことになる。この照射条件も、ステップＳ１０４において、検査履歴として登録される。なお、照射条件の送信を制限する場合は、照射条件を構成するパラメーターごとに送信可否を設定することが好ましい。例えば、照射条件のうち、変更されたパラメーターの設定値だけを送信不可とし、その他のパラメーターの設定値は送信可とする。これにより、照射条件を設定する際の利用者の操作負担を軽減することができる。
【００５９】
また、照射条件を送信しない場合は、当該検査オーダーに対応する照射条件の送信が制限されていることを示すことを提示するのが好ましい（図５参照）。これにより、利用者は、照射条件を設定しなければならないことを知得できるので、前の検査オーダーに対応する誤った照射条件でＸ線撮影が行われるのを防止することができる。
【００６０】
図４、図５は、検査オーダーの実行を指示した際の表示画面Ｄの一例を示す図である。図４、図５において、表示画面Ｄの上側には患者情報ＰＩが表示され、左側には検査オーダーの実行を指示するための設定キーＢ１１、Ｂ１２が表示されている。また、設定画面中央のメイン画面ＭＤには、選択された検査オーダーに対応する撮影条件等が表示されている。
【００６１】
図４、図５において、設定キーＢ１１は、胸部立位ＡＰ（立位状態で正面からＸ線を照射するＸ線撮影）の検査オーダー１の実行を指示する際に選択される。設定キーＢ１２は、腹部立位ＡＰの検査オーダー２の実行を指示する際に選択される。図４は、利用者によって設定キーＢ１１が選択され、検査オーダー１の実行が指示された状態を示している。図５は、利用者によって設定キーＢ１２が選択され、検査オーダー２の実行が指示された状態を示している。検査オーダー１の実行において照射条件の設定変更が行われた場合は、図５に示すように、検査オーダー２の照射条件の送信が制限されていることを示す警告表示Ａが行われる。
【００６２】
このように、本実施の形態に係る撮影用制御装置１１（放射線撮影支援装置）は、Ｘ線発生装置２０（放射線発生装置）及びＸ線撮影装置１０（放射線撮影装置）を含むＸ線撮影システム１（放射線撮影システム）による撮影を支援する。撮影用制御装置１１は、検査オーダーを取得する検査オーダー取得部１１１Ｄと、検査オーダーごとに対応するＸ線の照射条件をＸ線発生装置２０に送信する照射条件送信部１１１Ｅと、同一被検体に対して複数の検査オーダーが取得され、特定の第１検査オーダーに対応する照射条件が変更された場合に、第１検査オーダーの後に実行される第２検査オーダーに対応する照射条件の送信を制限する送信制御部１１１Ｆと、を備える。
【００６３】
本実施の形態に係る放射線撮影支援方法は、Ｘ線発生装置２０（放射線発生装置）及びＸ線撮影装置１０（放射線撮影装置）を含むＸ線撮影システム１（放射線撮影システム）による撮影を支援する方法であって、検査オーダーを取得する工程と、検査オーダーごとに対応するＸ線の照射条件をＸ線発生装置２０に送信する工程と、同一被検体に対して複数の検査オーダーが取得され、特定の第１検査オーダーに対応する照射条件が変更された場合に、第１検査オーダーの後に実行される第２検査オーダーに対応する照射条件の送信を制限する工程と、を備える。
【００６４】
実施の形態に係る撮影用制御装置１１（放射線撮影支援装置）及び放射線撮影支援方法によれば、Ｘ線発生装置２０の照射条件を設定する際の利用者の操作負担を効率よく軽減することができる。また、基本的に、照射条件が変更された場合は、以降の検査オーダーに対応する照射条件はＸ線発生装置２０に送信されなくなるので、無駄に演算処理や通信処理が行われることを防止でき、コンピューターの処理負担を軽減することができる。
【００６５】
以上、本発明者によってなされた発明を実施の形態に基づいて具体的に説明したが、本発明は上記実施の形態に限定されるものではなく、その要旨を逸脱しない範囲で変更可能である。
【００６６】
例えば、実施の形態では、本発明を、病院の撮影室に据え置かれる据置型のＸ線撮影システム１に適用した場合について説明したが、回診車に搭載される移動型のＸ線撮影システムに適用することもできる。
【００６７】
実施の形態では、処理部１１１（コンピュータ）が、表示制御部１１１Ａ、撮影条件設定部１１１Ｂ（照射条件送信部１１１Ｅ、送信制御部１１１Ｂ）、検査オーダー取得部１１１Ｄとして機能することにより、本発明を実現しているが、これらの機能の一部又は全部は、ＤＳＰ（Digital Signal Processor）、ＡＳＩＣ（Application Specific Integrated Circuit）、ＰＬＤ（Programmable Logic Device）等の電子回路によって構成することもできる。
【００６８】
また、本発明は、Ｘ線撮影システムに限らず、γ線等の他の放射線を使用した撮影システムに適用することもできる。
【００６９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７０】
１  Ｘ線撮影システム（放射線撮影システム）
１０  Ｘ線撮影装置（放射線撮影装置）
１１  撮影用制御装置（放射線撮影支援装置）
１２  ＦＰＤ
１３  撮影台
１４  中継器
２０  Ｘ線発生装置（放射線発生装置）
２１  Ｘ線発生用制御装置
２２  Ｘ線発生用コンソール
２３  照射スイッチ
２４  高電圧発生装置
２５  Ｘ線管装置
１１１Ａ  表示制御部
１１１Ｂ  撮影条件設定部
１１１Ｃ  Ｘ線画像取得部
１１１Ｄ  検査オーダー取得部
１１１Ｅ  照射条件送信部
１１１Ｆ  送信制御部
【図１】
2019048005.tif 000003
【図２】
2019048005.tif 000004
【図３】
2019048005.tif 000005
【図４】
2019048005.tif 000006
【図５】
2019048005.tif 000007